(57)【要約】      （修正有）【課題】ロールペーパーを片手で確実に切断できると同時に、ロールペーパー切断端に摘持部を確保して紙の引き出しを容易にできるようにした固定型または卓上型のロールペーパーホルダーの提供。【解決手段】ロールペーパー先端１ｅは誘導板突起部２ｅを通りペーパー跳ね上げ板３ｃの先端を経由し切断具取付板５の隙間から垂れ下がっており、経由途中１ｂの位置で押圧摩擦体４ｂと押圧突起３ｂに可動圧接用バネ３ｈの押圧力により挟まれてペーパーの滑り出しが制限され、切断具取付板５の先端の切断刃５ａで切断すると切断されたペーパー先端１ｅはペーパー自身の重さによって垂れ下がるのでトイレットペーパー端部を容易に掴むことができる。【選択図】  図１
2008036201.tif 000002
【特許請求の範囲】
【請求項１】
ロール状に巻回されたロールペーパーが、蓋体（４）に固着された押圧摩擦体（４ｂ）とペーパー誘導板本体（２ｃ）（２ｄ）間を貫通した可動圧接板（３ａ）と一体となす押圧突起（３ｂ）によって侠着され、可動圧接板用バネ（３ｈ）の押圧力で係止させると共に、可動圧接板本体（３ａ）がペーパー先端（１ｅ）を摘持して引下張力を作用させる事で可動圧接板回転軸（３ｄ）を中心に回動し押圧摩擦体（４ｂ）と押圧突起（３ｂ）とに掛かる押圧力が開放され係止解除され、
またペーパー切断時においてはペーパーが誘導板突起部（２ｅ）とペーパー切断歯（５ａ）とがほぼ直線上になり圧接板前端部（３ｅ）がペーパー途中に接触しない位置、すなわち可動圧接板用バネ（３ｈ）による回動力がペーパー自体に作用せず引下方向と反する位置で切断する事を特徴とするロールペーパーホルダー。
【請求項２】
ペーパー誘導板（２）と可動圧接板（３）とが組合された機構（以下「フラップ機構と呼ぶ」）を誘導板取付腕Ｌ、Ｒ（２ａ、２ｂ）に固着され誘導板取付腕回転軸で回動自在にした事によりロールペーパー装填時の開口部が確保され、また装填作業においてフラップ機構を蓋体の開閉動作に連動させて開く又は上下左右に移動することにより装填できる開口部を自動的に確保できる事を特徴とするロールペーパーホルダー。
【請求項３】
弾性素材で一体成型しペーパー跳上げ板（３ｃ）を固着させた可動圧接板本体（３ａ）と押圧突起（３ｂ）を、誘導板突起部（２ｅ）に可動圧接板嵌込溝（２ｈ）を成型した誘導板に嵌合一体化させ、可動圧接板本体の復元力で回動復帰するようにしたロールペーパーホルダーであって、可動圧接板本体（３ａ）と切断歯（５ａ）との間に横滑り防止突起（５ｂ）が付置されペーパー跳上げ板（３ｃ）の引力によってペーパー先端（１ｅ）が切断後に引き上げられると同時に自重によって垂下し、摘持部を確保する事を特徴とするロールペーパーホルダー。
【請求項４】
蓋体（４ａ）又は側面板（６ａ、６ｂ）に蝶着され回動可能とした切断歯（５ａ）を付備した切断具取付板（５）を箱体に突出部を無くし出し入れ自由に収納し取手または紐状物を具備して携帯性を確保でき、また固定使用において蓋体（４ａ）に手摺、カウンター、小物置台、警報機等を具備する事で安全と利便性とを確保できる事を特徴とする上記請求項１、２、３のロールペーパーホルダー。
【発明の詳細な説明】
【技術分野】
【０００１】
本発明は、紙を引き出し可能に保持するロールペーパーホルダーに関し、引き出した紙を片手で切り取ることを可能にすることと同時にペーパー切断端に摘持部を確保して紙の引き出しを容易化できるように形成したロールペーパーホルダーに関するものである。
【背景技術】
【０００２】
従来のロールペーパーホルダーは、ロール状のトイレットペーパーが回動自在に保持され、そのトイレットペーパーを端部が切断刃となるカバーが覆っている。使用時には、ペーパーカバーを持ち上げる等してトイレットペーパー端部を摘んで引き出した後、もう一方の手でカバーを押さえその端部が切断刃となっている位置に沿ってこれを引っ張るように力を加えてトイレットペーパーを切断する方法である。
これを片手で操作すべく考案された物が、特許文献１、特許文献２であり「ペーパーを引く力で梃子の原理を応用して直接ペーパーを押さえる力に換える」事を主眼に成されているが、何れも切断中にペーパーを引く力がロール部の押圧力に勝る場合が多くペーパーが回転しながら切れるなどして綺麗に切れない事が多い。
【０００３】
いっぽう摘持部を確保して紙の引き出しを容易化する手法として、器具をスライドさせて押出す方法として特許文献３が、又は紙の押圧部と切り取る位置とに差を設けて持部を確保する方法として特許文献４及び特許文献５等があるが、これらも又ペーパーが途中で切れた場合等に蓋体を開けて摘持部を再度探す事となり頻繁な作業が懸念される。
これとは別に卓上型に主眼を置いて考案された物として特許文献６があるが、卓上型又は携帯型とするには意匠的な配慮が求められている。
【０００４】
【特許文献１】特開２００４−１７４１７２
【特許文献２】特開２００３−０６１８６３
【特許文献３】特開２００６−０８７６６２
【特許文献４】特開２００４−３２９７９８
【特許文献５】特開２００３−０００４７３
【特許文献６】特開２００４―２７５５３９
【発明の開示】
【発明が解決しようとする課題】
【０００５】
上記のような従来のトイレットペーパーホルダーでは、トイレットペーパーを切断するには両手を使う必要があり、肢体が不自由な人にとっては不便なものであった。又、意図した部分で切断されずトイレットペーパー端部がロール外周部に残り密着したまま自転してしまうことも多く、次に使用する際にトイレットペーパー端部が見つけ難くまた摘みにくい不便さがあった。この発明は上記の課題を解決するためになされたもので、片手のみで切断でき、且つトイレットペーパー端部を容易に摘むことができるペーパーホルダー及びペーパー切断装置を提供することを目的とする。
【課題を解決するための手段】
【０００６】
上記の課題を解決するため、過去の発明の多くが試みた「ペーパーを引く力で梃子の原理を応用しペーパーを直接押さえ滑り抵抗力に換える」ことを止め、「普段は係止されているペーパーを梃子の原理を応用して押圧解放力に換える」事を主な手段とした。これはペーパーホルダーを使用するに当りペーパーを引く時の手や腕の自然な動作をペーパー押圧力または開放に利用し、引出時にはペーパーをスムーズに引き出させ、ペーパーを切断する際には引っ張る力でロールペーパー本体が回転すること無く確実に滑り出しを係止し、ペーパー切断が容易になるようにする。またペーパーが切断された後ペーパー先端に摘持部を確保した状態とし次の使用に備えるようにする。
【発明の効果】
【０００７】
本発明のロールペーパーホルダーはロールペーパー端を常に摘んで引き出せ、引き出したペーパーを片手でカットすることが出来、軽い障害を持つ人にも不便を与えない。また前使用者がペーパーの摘持部に触れていないので衛生的である。
本発明のロールペーパーホルダーは箱体であり、その中にフラップ機構と蓋体部の押圧摩擦体との構成で簡易であり卓上型ホルダーにする事が容易にでき、また蓋体天板が揺動しないため本体を壁などに取り付ける事で携帯電話やバック類の小物台に使用する事、本体に付属してカウンターを設置する事、体を支える手摺の代用として機能させる等障害者にも利便性が高い。
本発明のロールペーパーホルダーはペーパー芯の有無を問わず使用でき紙芯ゴミが出ない事で環境にも良く、紙質に依存しないペーパー切断機構でありキッチンペーパー又はラップシートの保管箱にも設置でき、またロールペーパーの装填に対し巻回方向を問わない。
本発明の基本構造以外を柔軟な素材（布製、ビニール製など）で構成する事により軽量化携帯性に優れ、介護現場やペット用のテッシュペーパー代用としてトイレットペーパーに新たな用途が期待できる。また箱体を木製、鉱物、合成樹脂、金属素材などに変える事でデザイン性の自由度が高い。
【発明を実施するための最良の形態】
【０００８】
本発明に係るロールペーパーホルダーの特色とするところは、フラップ機構を用いる事により「普段は係止されているペーパーを梃子の原理を応用して押圧の解放力に換える」ことである。即ちトイレットペーパー使用時の手や腕の自然な動作をもってペーパーの押圧または開放に利用し、ペーパー引き出し時には滑り出しをスムーズにし切断時には確実にペーパーを係止することにある。以下、本発明の実施例を図面に基づいて説明する。
【実施例１】
【０００９】
（Ａ）装填されたロールペーパー先端１ｅは誘導板突起部２ｅを通りペーパー跳ね上げ板３ｃの先端を経由し切断具取付板５の隙間から垂れ下がっており、経由途中１ｂの位置で押圧摩擦体４ｂと押圧突起３ｂに可動圧接板用バネ３ｈの押圧力によりに挟まれている。ロールペーパー先端１ｅを摘まみ少し引くと弾性素材で成型されているペーパー跳上げ板３ｃの先端が湾曲しながら圧接板先端部３ｅ付近まで曲げられる。（図３）（図４）
（Ｂ）圧接板本体３ａはペーパー跳上げ板３ｃより強い弾性素材で成型され押圧突起３ｂと一体としてなる可動圧接板であるから、可動圧接板回転軸３ｄを中心に回動することとなる。この場合可動圧接板用バネ３ｈの押圧力によりに挟まれていたペーパー圧接位置１ｂは開放され、ペーパーの引き出し抵抗は誘導板突起部２ｅ誘導板端部２ｆ圧接板前端部３ｅにペーパー自重の転がり抵抗の合力となる。また押圧突起３ｂに働く可動圧接板用バネ３ｈの押圧力に抵抗する力は、可動圧接板回転軸３ｄから圧接板前端部３ｅまでの距離に比例する。即ち可動圧接板に梃子の原理を応用したものである。（図５）ペーパー切断直前の状態ではペーパー屈折部Ａ１ａペーパー圧接位置１ｂペーパー屈折部Ｂ１ｃペーパー切断位置１ｄがほぼ直線上に並び、またペーパー圧接位置１ｂ部分は押圧摩擦体４ｂと押圧突起３ｂに可動圧接板用バネ３ｈの押圧力によりに挟まれペーパーの滑り出しが制限されることに特徴がある。（図６）
（Ｃ）前述のように押圧摩擦体４ｂと押圧突起３ｂに可動圧接板用バネ３ｈの押圧力により挟まれペーパーの滑り出しが制限されている事で引っ張り力は全てペーパー切断位置１ｄに集中して切断力となるが、手及び腕の動きは切断抵抗を少なくすべく切断歯５ａに平行の方向すなわち横方向へ動くためペーパー自体が横滑りを起こして意図しない切断形状になる事がある。従ってこれを防止することを目的としてペーパー横滑り防止突起５ｂが付置されている。（図７）
最終的に切断されたペーパー先端１ｅは、ペーパー自身の重さによって垂れ下がるが、切断条件によってはペーパー先端１ｅ部の繊維が切断歯５ａに絡み付着残置される場合がある。これを剥離させる目的のペーパー跳上げ板３ｃが上方向に跳上げられ分離が行われる。同時にペーパー跳ね上げ板３ｃの先端と切断具取付板５の隙間にペーパーが挟まれることでペーパーの巻き癖が抑制され垂直でかつ整然と垂れ下る。（図３）
【実施例２】
【００１０】
本発明のロールペーパーホルダーにトイレットペーパー本体１を装填する場合は蓋体４ａを蓋体回転軸４ｃに回動させて開き、続いてフラップ機構を誘導板取付腕回転軸２ｇに回転させて装填に必要な開口部を確保する必要が生じる（図８）。これを一つの動作で完了せしめる事すなわち蓋体４ａを開くのと連動してフラップ機構が回転し装填開口を確保する機構を（図１０）（図１１）に示す。
フラップ機構は蓋体４ａを全開させた時アーム用バネ９ｄのバネ力によりアーム９ｃからステー９ｅと押圧力が伝わりステー回転軸Ｂ９ｋの位置で静止している（図１０）。続いて蓋体４ａを閉める動作を行うとアーム用バネの復帰力によってアーム回転軸９ｈを中心にアーム９ｃが回転し連動してフラップ機構が誘導板取付腕回転軸２ｇを軸に回転しながらアームストッパー９ｆでアーム９ｃと共に停止する。さらに蓋体を閉めるとガイドレール９ａに施したガイドレール溝９ｂに沿ってガイドローラー９ｇがスライドし蓋体の定位置で停止する（図１１）。また蓋体４が閉じている時はラッチ機構または永久磁石の磁力などで半固定され、ペーパー切断力が懸かった場合（図７）でも不用意に開く事の無いように安全確実にこれを保持している。
【実施例３】
【００１１】
本発明のロールペーパーホルダーに回動自在に取り付けた蓋体４ａと切断具取付板５と取手４ｆを具備し樹脂等で一体的に組立て成型する事、又は基本構造以外を柔軟な素材（布製、ビニール製など）で構成する事により卓上型又は携帯型（図１２）となし、テッシュペーパー代用の容器とする事。
【産業上の利用可能性】
【００１２】
従来、ロールペーパーホルダーは専らトイレに固定し使用する事が殆どであるが、本発明は機構が簡易小型であり卓上型にする事や基本構造以外を柔軟な素材（布製、ビニール製など）で構成するにより軽量化携帯性が図れ、介護現場やペット用にテッシュペーパーの代用としてトイレットペーパーに新たな用途が期待できる。またホルダー幅を広くする事でキッチンペーパーホルダーまたはラップシートホルダーとなし、幅を狭くする事でテープ用のカッターとして利用できる。
【図面の簡単な説明】
【００１３】
【図１】実施例１によるトイレットペーパーホルダーの外観形状を示した斜視図である。
【図２】フラップ機構（ペーパー誘導板２と可動圧接板３とを組合せた部品）を示した斜視図である。
【図３】ペーパーを引き出す寸前の状態を示した断面図である。
【図４】ペーパーを引き出した直後の状態を示した断面図である。
【図５】ペーパーの引き出し状態を示した断面図である。
【図６】ペーパーを切断する直前の状態を示した断面図である。
【図７】ペーパーを切断動作中の状態を示した断面図である。
【図８】ペーパーを装填する手順を示した断面図である。
【図９】図２で示したフラップ機構と同様の働きをする可動圧接板３の斜視図である。
【図１０】図８で示した装填手順を連動化した実施例２の斜視図その１である。
【図１１】図８で示した装填手順を連動化した実施例２の斜視図その２である。
【図１２】ペーパーホルダー本体を卓上型又は携帯性を高めた実施例３の斜視図である。
【符号の説明】
【００１４】
１：トイレットペーパー（新品時）
１ａ：ペーパー屈折部Ａ
１ｂ：ペーパー圧接位置
１ｃ：ペーパー屈折部Ｂ
１ｄ：ペーパー切断位置
１ｅ：ペーパー先端
２：ペーパー誘導板
２ａ：誘導板取付腕（Ｌ）
２ｂ：誘導板取付腕（Ｒ）
２ｃ：誘導板本体Ａ
２ｄ：誘導板本体Ｂ
２ｅ：誘導板突起部
２ｆ：誘導板端部
２ｇ：誘導板取付腕回転軸
２ｈ：可動圧接板嵌込溝
３：可動圧接板
３ａ：圧接板本体
３ｂ：押圧突起
３ｃ：ペーパー跳上げ板
３ｄ：可動圧接板回転軸
３ｅ：圧接板前端部
３ｆ：圧接板後端部
３ｇ：可動圧接板嵌込端
３ｈ：可動圧接板用バネ
４：蓋体
４ａ：蓋本体
４ｂ：押圧摩擦体
４ｃ：蓋体回転軸
４ｄ：蓋体取付枠
４ｅ：蓋体凹部
４ｆ：取手
４ｇ：取手回転軸
５：切断具取付板
５ａ：切断歯
５ｂ：ペーパー横滑り防止突起
５ｃ：切断具取付板回転軸
５ｄ：切断具取付板用補強板
６：側面板
６ａ：側面板本体（Ｌ）
６ｂ：側面板本体（Ｒ）
７：ペーパー保持具
７ａ：ペーパー保持具本体
７ｂ：ペーパー保持具前端部
７ｃ：ペーパー保持具後端部
８：箱体背面板
８ａ：背面板
８ｂ：取付金具
９ａ：ガイドレール
９ｂ：ガイドレール溝
９ｃ：アーム
９ｄ：アーム用バネ
９ｅ：ステー
９ｆ：アームストッパー
９ｇ：ガイドローラー
９ｈ：アーム回転軸
９ｊ：ステー回転軸Ａ
９ｋ：ステー回転軸Ｂ
１０：カウンター
２０：本体取付用壁
３０：トイレットペーパー（滅失直前）
【図１】
2008036201.tif 000003
【図２】
2008036201.tif 000004
【図３】
2008036201.tif 000005
【図４】
2008036201.tif 000006
【図５】
2008036201.tif 000007
【図６】
2008036201.tif 000008
【図７】
2008036201.tif 000009
【図８】
2008036201.tif 000010
【図９】
2008036201.tif 000011
【図１０】
2008036201.tif 000012
【図１１】
2008036201.tif 000013
【図１２】
2008036201.tif 000014
【手続補正書】
【提出日】平成19年8月20日(2007.8.20)
【手続補正１】
【補正対象書類名】特許請求の範囲
【補正対象項目名】請求項１
【補正方法】変更
【補正の内容】
【請求項１】
箱体にペーパー切断歯（５ａ）が付加され、内部にペーパー誘導板（２）と可動圧接板本体（３ａ）が平行に配された構成をなし、ペーパーを蓋体（４）に固着された押圧摩擦体（４ｂ）と可動圧接板本体（３ａ）に固着された押圧突起（３ｂ）とで挟む事によりペーパー引出しを係止させるロールペーパーホルダーにおいて、ペーパー先端（１ｅ）を摘持して引下げ張力を作用させれば可動圧接板本体（３ａ）が可動圧接板回転軸（３ｄ）を中心に回動して押圧摩擦体（４ｂ）と押圧突起（３ｂ）とに掛かる挟着力から開放され、さらにペーパー引下げを中止すれば圧接板用バネ（３ｈ）のバネ力が再び挟着力を生じさせてペーパーの再係止に働きペーパー切断応力を切断歯に集中させる事が出来きるペーパーホルダーであって、ペーパー切断後の摘持長さがペーパー跳上げ板（３ｃ）とペーパー切断歯（５ａ）との離隔距離で確保される事を特徴とするロールペーパーホルダー。